(57)【要約】【課題】テラヘルツ波を用いて一包化包装された薬剤の種類を効率的に正確に判別することができる、新たな一包化包装された薬剤の識別方法及び識別装置を提供する。【解決手段】本発明の一包化包装された薬剤の識別方法は、テラヘルツ波照射時の応答と可視光画像情報に基づき薬剤の種類を識別する。本発明の一包化包装された薬剤の識別装置は、一包化包装された薬剤にテラヘルツ波を照射する照射手段と、薬剤からの応答を検出する検出手段と、薬剤の可視光画像情報を取得する画像取得手段と、応答と可視光画像情報に基づき薬剤の種類を識別する識別手段とを備えた。識別手段により識別された前記薬剤の種類が処方すべき薬剤の種類と符合するか否かを判定する判定手段を備えてもよい。一包化包装された薬剤の種類や数をそのままの状態で、効率的に正確に判別することができる。【選択図】なし【特許請求の範囲】
【請求項１】
テラヘルツ波照射時の応答に基づき薬剤の種類を識別することを特徴とする一包化包装された薬剤の識別方法。
【請求項２】
テラヘルツ波照射時の応答と可視光画像情報に基づき薬剤の種類を識別することを特徴とする一包化包装された薬剤の識別方法。
【請求項３】
一包化包装された薬剤にテラヘルツ波を照射する照射手段と、前記薬剤からの応答を検出する検出手段と、前記応答に基づき前記薬剤の種類を識別する識別手段とを備えたことを特徴とする一包化包装された薬剤の識別装置。
【請求項４】
一包化包装された薬剤にテラヘルツ波を照射する照射手段と、前記薬剤からの応答を検出する検出手段と、前記薬剤の可視光画像情報を取得する画像取得手段と、前記応答と前記可視光画像情報に基づき前記薬剤の種類を識別する識別手段とを備えたことを特徴とする一包化包装された薬剤の識別装置。
【請求項５】
前記識別手段により識別された前記薬剤の種類が処方すべき薬剤の種類と符合するか否かを判定する判定手段を備えたことを特徴とする請求項３又は４記載の一包化包装された薬剤の識別装置。
【発明の詳細な説明】
【技術分野】
【０００１】
本発明は一包化包装された薬剤の識別方法及び識別装置に関する。
【背景技術】
【０００２】
近年、医療技術の進歩や医薬品の多様性の増加によって、個々人に対応した医療システム、医療サービスの提供が重要になってきている。そのような背景の中で、医薬品の一包化包装が広まっている。
【０００３】
複数の種類の薬剤を服用する場合、従来は、用量、服用日数に応じた個数のシート包装された薬剤が種類ごと渡され、患者が服用の際に、薬剤の種類、個数を自身で選別していた。一方、一包化包装された薬剤では、１回分で服用する種類、個数の薬剤が、１つの薬包に入れられている。このため、一包化包装された薬剤は、服用の誤りが少ない、朝、昼、夕で服用薬の種類や個数が変化しても分かりやすく、特に高齢の人にとって服用が容易になるなどのメリットがある。今後、このような包装形態は増加していくものと思われ、一包化包装の装置も製造されている。
【０００４】
しかしながら、現在の一包化包装の装置は少なからぬ頻度で調剤エラーが発生する。さらに、一包化包装への薬品の入れ間違いは大きな医療事故にもなりかねないことからも、鑑査を十分行うことが重要で、現状では薬剤師が包装された薬剤の１つ１つを、目視で識別することで薬の入れ違いがないか鑑査している。しかし、鑑査において、薬が包装の印刷部分に来ると判別し難く、また、薬の識別コードが裏になっている場合は包装内で薬剤を裏返さないと完全な判別ができないなどの問題があった。したがって、この鑑査の作業は、膨大な時間を費やす上、集中力を要する作業であり、薬剤師の負担が大きくなっているのが実情である。
【０００５】
これを補助する装置としては、ＣＣＤやＣ-ＭＯＳ等のカメラで拡大撮影した一包化包装された薬剤の可視光画像を表示する装置、又は若干の画像解析を行って薬剤の形状や色を識別する装置が販売されている。しかし、薬剤の種類によっては外観がかなり類似したものがいくつかあるため、薬剤に記載されている識別コードを各々判別しなければ完全な鑑査はできない。したがって、可視光画像による識別を併用した場合であっても、最終的には薬剤師の目視で鑑査する必要があり、上記の装置の使用は薬剤師の負担を大幅に減少させるものとはなっていなかった。
【０００６】
一方、非特許文献１にあるように、波長が電波と遠赤外線の中間領域のテラヘルツ波が封筒を通過することから麻薬や爆薬の検査に利用できるのではないかと考えられるようになっている。
【非特許文献１】K. Kawase, Optics & PhotonicsNews, October 2004, p.34.
【発明の開示】
【発明が解決しようとする課題】
【０００７】
しかし、このテラヘルツ波を医薬品に利用する場合には、錠剤やカプセル剤に適用できるかどうか全く不明であり、包材を通過するテラヘルツ波の散乱による識別感度の低下などが懸念されていた。
【０００８】
本発明は、テラヘルツ波を用いて一包化包装された薬剤の種類を効率的に正確に判別することができる、新たな一包化包装された薬剤の識別方法及び識別装置を提供することを目的とする。
【課題を解決するための手段】
【０００９】
上記課題を解決するために鋭意検討の結果、発明者らは、可視光画像により薬剤の形状及び色で判別した後、テラヘルツ波を照射しその応答を検出することによって、薬剤の種類を高精度で判別することができることを見出し、本発明を完成させるに至った。
【００１０】
すなわち、本発明の請求項１記載の一包化包装された薬剤の識別方法は、テラヘルツ波照射時の応答に基づき薬剤の種類を識別することを特徴とする。
【００１１】
本発明の請求項２記載の一包化包装された薬剤の識別方法は、テラヘルツ波照射時の応答と可視光画像情報に基づき薬剤の種類を識別することを特徴とする。
【００１２】
本発明の請求項３記載の一包化包装された薬剤の識別装置は、一包化包装された薬剤にテラヘルツ波を照射する照射手段と、前記薬剤からの応答を検出する検出手段と、前記応答に基づき前記薬剤の種類を識別する識別手段とを備えたことを特徴とする。
【００１３】
本発明の請求項４記載の一包化包装された薬剤の識別装置は、一包化包装された薬剤にテラヘルツ波を照射する照射手段と、前記薬剤からの応答を検出する検出手段と、前記薬剤の可視光画像情報を取得する画像取得手段と、前記応答と前記可視光画像情報に基づき前記薬剤の種類を識別する識別手段とを備えたことを特徴とする。
【００１４】
本発明の請求項５記載の一包化包装された薬剤の識別装置は、請求項３又は４において、前記識別手段により識別された前記薬剤の種類が処方すべき薬剤の種類と符合するか否かを判定する判定手段を備えたことを特徴とする。
【発明の効果】
【００１５】
本発明の一包化包装された薬剤の識別方法及び識別装置によれば、一包化包装された薬剤の種類や数をそのままの状態で、効率的に正確に識別することができる。したがって、本発明による薬剤の鑑査の支援により、従来の鑑査に要していた薬剤師の負担を大幅に削減することが可能となる。
【発明を実施するための最良の形態】
【００１６】
以下、本発明の一包化包装された薬剤の識別方法及び識別装置について、詳細に説明する。
【００１７】
本発明の一包化包装された薬剤の識別方法は、テラヘルツ波照射時の応答に基づき薬剤の種類を識別することを特徴とする。或いは、テラヘルツ波照射時の応答と可視光画像情報に基づき薬剤の種類を識別してもよい。
【００１８】
また、本発明の一包化包装された薬剤の識別装置は、一包化包装された薬剤にテラヘルツ波を照射する照射手段と、前記薬剤からの応答を検出する検出手段と、前記応答に基づき前記薬剤の種類を識別する識別手段とを備えたことを特徴とする。或いは、前記薬剤の可視光画像情報を取得する画像取得手段をさらに備え、識別手段によって前記応答と前記可視光画像情報に基づき前記薬剤の種類を識別するように構成してもよい。さらに、前記識別手段により識別された前記薬剤の種類が処方すべき薬剤の種類と符合するか否かを判定する判定手段を備えていてもよい。
【００１９】
テラヘルツ波は、電波と光の中間領域にある電磁波であり、テラヘルツ波のエネルギーは、分子回転のエネルギーと分子の基準振動のエネルギーの中間に位置し、分子間相互作用のエネルギーや高分子の大振幅振動のエネルギー等に対応する。このためテラヘルツ波は、固体、低分子量の薬剤を透過し、この透過したテラヘルツ波の情報から薬剤の識別情報を得ることが可能である。
【００２０】
また、テラヘルツ波は波長が１ｍｍのオーダーであり、錠剤１つ１つのスペクトルを測定できる空間分解能を持つ。言い換えれば、数ｃｍの薬袋内に入れられた複数の数ｍｍの固形薬剤に対して、これを透過し、薬物、賦形剤成分の構造情報を与え、かつ個々の錠剤の情報を分別して与えうる電磁波はテラヘルツ波しかない。
【００２１】
本発明の一包化包装された薬剤の識別方法は、この優れた特徴を持つテラヘルツ波照射時の応答に基づき、或いは、可視光画像情報も組み合わせることで、一包化された状態の薬剤を、一包化の封を切ることなく非破壊で高速かつ高確度で内部の薬剤を識別できる方法である。これにより、薬剤師の薬剤鑑査の支援、ひいては医療過誤の防止に資することができる。
【００２２】
以下、テラヘルツ波照射時の応答と可視光画像情報を組み合わせて薬剤を識別する場合を例にとって説明する。
【００２３】
第１ステップにおいて、まず、ＣＣＤやＣ‐ＭＯＳなどの画像取得手段としての可視光画像撮影装置により、一包化包装された薬剤の可視光画像を取得する。そして、可視光画像解析手段により可視光画像撮影装置から取得された薬剤の可視光画像を解析し、包装内の薬剤の数、位置の情報を取得する。
【００２４】
つぎの第２ステップにおいて、波数が１００ｃｍ?１〜３ｃｍ?１の範囲の複数又は連続波数となるテラヘルツ波を照射手段により薬剤に照射し、その応答である時間領域シグナルを検出手段としての通常のテラヘルツ波検出装置により取得する。このシグナルをフーリエ変換して、波数、振動数又は波長と透過との関係（以下、これをスペクトルという）を得る。または、応答として直接にスペクトルを観測してもよい。上記波数の範囲を超える範囲の波数の電磁波を照射して観測してもよく、また、本発明が目的とする薬剤の識別が可能であれば、上記範囲の一部であってもよい。
【００２５】
なお、一包化包装された薬剤にテラヘルツ波を照射する際は、第１ステップにおける画像解析により得た薬剤の位置にスポット状のテラヘルツ波を選択的に照射してもよく、または走査的に広範囲に照射してもよく、さらには、広い範囲にテラヘルツ波を同時に照射し、検出手段としてマルチチャネル検出装置を用いて応答を検出してもよい。応答波を得るには、一包化包装された薬剤からの透過光を検出する透過法が基本となるが、透過光が検出しがたい場合は反射したテラヘルツ波を検出する反射法、または試料にプリズムを接触させて得た全反射減衰波としたテラヘルツ波を検出する全反射減衰法（ＡＴＲ法）で応答を取得してもよい。
【００２６】
テラヘルツ波検出装置と可視光画像撮影装置より得られたシグナルは、識別手段としてのデータ処理装置にて処理される。データ処理装置には、包装されうる各薬剤のテラヘルツ波照射時の応答、及び可視画像のデータベースが存在し、データ処理結果をデータベースと照合することで、薬剤の識別が行われる。薬剤の識別は、スペクトルまたは時間領域シグナル、若しくは両者を併用して行う。なお、薬剤に含まれる薬効成分の違い、賦形剤成分の違い、錠剤の厚さの違いなどが関係して、薬剤ごとに異なったテラヘルツ波の応答が得られる。
【００２７】
そして、識別された薬剤の種類が処方すべき薬剤の種類と符合するか否か、すなわち薬剤が正しく処方されているか否かについて、判定手段によって判定する。本実施例における識別装置は、自動一包化包装装置に取り付けられており、上記の判定は、得られた薬剤の識別結果を一包化包装装置に入力された包装すべき薬剤の情報と照合することによって行われるように構成されている。
【００２８】
以上のように、本発明の一包化包装された薬剤の識別方法及び識別装置によれば、一包化包装された薬剤の種類や数をそのままの状態で、効率的に正確に識別することができる。したがって、薬剤の鑑査を自動化して、従来の鑑査に要していた薬剤師の負担を大幅に削減することが可能となる。また、自動一包化包装装置と組み合わせることで、薬剤が正しく処方されたか否か判定することができ、調剤エラーが発生する虞を一掃することができる。
【００２９】
以上、本発明の一包化包装された薬剤の識別方法及び識別装置について説明したが、本発明は、上記実施形態に限定されず、本発明の思想の範囲内で変形実施可能である。例えば、上記の第１ステップと第２ステップは順番を逆にしてもよく、または第１ステップと第２ステップを同時に行ってもよい。さらには、第１ステップを省略して、テラヘルツ波照射時の応答にみに基づいて識別を行ってもよい。また、対象とする薬剤はタブレット状、カプセル状、粉体状、顆粒状を問わない。
【００３０】
以下、具体例に基づき、さらに詳細に説明する。
【実施例１】
【００３１】
図１に一包化包装した薬剤の可視光画像の例を示す。１包目に３剤、２包目にも３剤の薬剤が入っているが、これら６剤は全て異なった薬剤である。これを見ると分かるように、色の異なる２種のカプセル、サイズの小さい錠剤などは明らかに可視光画像の解析で判別可能である。しかし、画像解析では識別しがたい薬剤もある。これらの識別には、薬剤の識別コードを読むことが必要となる。図１のように識別コードが裏面を向いた場合、薬剤師が鑑査する際は、錠剤を反転させて識別コードを読み識別する。しかしこの操作は煩雑であり、また自動化も困難である。すなわち、可視光画像解析のみでは、薬剤の完全な識別は非常な困難を伴う。
【００３２】
図１に示した各薬剤に対して、裸錠、および一包化包装された状態での、テラヘルツ波の時間領域シグナル（透過モード）を図２〜７に、テラヘルツ波スペクトルを図９〜１４に示した。図８には袋だけを通過させた場合のシグナルおよび袋の印刷部を通過させた場合のシグナル、図１５には袋だけを通過させた場合のスペクトルおよび袋の印刷部を通過させた場合のスペクトルも示した。これらの時間領域シグナルおよびスペクトルは、６薬剤のうち４薬剤がテラヘルツ波シグナルの応答から識別できることを示している。また、袋に入っていてもこれら４薬剤のシグナルはほとんど袋の影響を受けていないことが確認された。さらに、印刷箇所がほとんどシグナルに影響を及ぼさないことが確認された。
【００３３】
本実施例ではジゴキシン（小さい錠剤）と塩酸ロキサジチンアセタート（白いカプセル）は再現性のあるデータが得られなかった。これは薬剤の極端な吸収の強さとサイズの影響を受けたものと考えられるが、可視光画像の解析によって明らかに識別できる。したがって、可視光画像の解析とテラヘルツ波の応答の組み合わせにより、一包化包装内の薬剤の識別が可能であることが確認された。
【図面の簡単な説明】
【００３４】
【図１】本発明の一実施例を示す一包化包装された薬剤の可視光画像である。
【図２】本発明の一実施例を示すアロプリノールのテラヘルツ波の時間領域シグナルである。
【図３】本発明の一実施例を示すシプロフロキサシンのテラヘルツ波の時間領域シグナルである。
【図４】本発明の一実施例を示すフルコナゾールのテラヘルツ波の時間領域シグナルである。
【図５】本発明の一実施例を示すベシル酸アムロジピンのテラヘルツ波の時間領域シグナルである。
【図６】本発明の一実施例を示すジゴキシンのテラヘルツ波の時間領域シグナルである。
【図７】本発明の一実施例を示す塩酸ロキサチジンアセタートのテラヘルツ波の時間領域シグナルである。
【図８】本発明の一実施例を示す袋のみ、袋の印刷部、何も置かない状態でのテラヘルツ波の時間領域シグナルである。
【図９】本発明の一実施例を示すアロプリノールのテラヘルツ波スペクトルである。
【図１０】本発明の一実施例を示すシプロフロキサシンのテラヘルツ波スペクトルである。
【図１１】本発明の一実施例を示すフルコナゾールのテラヘルツ波スペクトルである。
【図１２】本発明の一実施例を示すベシル酸アムロジピンのテラヘルツ波スペクトルである。
【図１３】本発明の一実施例を示すジゴキシンのテラヘルツ波スペクトルである。
【図１４】本発明の一実施例を示す塩酸ロキサチジンアセタートのテラヘルツ波スペクトルである。
【図１５】本発明の一実施例を示す袋のみ、袋の印刷部のテラヘルツ波スペクトルである。
【図２】
2007198802.tif 000002
【図３】
2007198802.tif 000003
【図４】
2007198802.tif 000004
【図５】
2007198802.tif 000005
【図６】
2007198802.tif 000006
【図７】
2007198802.tif 000007
【図８】
2007198802.tif 000008
【図９】
2007198802.tif 000009
【図１０】
2007198802.tif 000010
【図１１】
2007198802.tif 000011
【図１２】
2007198802.tif 000012
【図１３】
2007198802.tif 000013
【図１４】
2007198802.tif 000014
【図１５】
2007198802.tif 000015
【図１】
2007198802.tif 000016